(57)【要約】【課題】飲用を望まないときに、キャップ内部に装填された抹茶等がボトル内の湯又は水に投入してしまう場合を生ぜしめるという問題を解決する。【解決手段】ボトル１の口２の雄ねじ部２ａに螺合するキャップ本体４の上端側に、上端部が閉塞状で下端部が開口した原料収容筒部５を一体に形成し、原料収容筒部５の下端部にはその開口部を封止する底蓋７を嵌着し、原料収容筒部５の内部にはその上端壁部５ａを貫通して下方の底蓋７に当接するように延びる底蓋押し出しロッド８を挿入すると共に、このロッド８の上端径大頭部８ａと原料収容筒部５の上端壁部５ａとの間には、このロッド８の底蓋押し出しを規制する規制手段９を規制解除可能に介装し、この規制手段９の解除後に底蓋押し出しロッド８を押すことによって、底蓋７を押し出して原料収容筒部５内の原料Ｐをボトル１内に放出するようにした。【選択図】図２
2008074456.tif 000002
【特許請求の範囲】
【請求項１】
ボトルの口の雄ねじ部に螺合するキャップ本体の上端側に、上端部が閉塞状で下端部が開口した原料収容筒部を一体に形成し、原料収容筒部の下端部にはその開口部を封止する底蓋を嵌着し、原料収容筒部の内部にはその上端壁部を貫通して下方の底蓋に当接するように延びる底蓋押し出しロッドを挿入すると共に、このロッドの上端径大頭部と原料収容筒部の上端壁部との間には、このロッドの底蓋押し出しを規制する規制手段を規制解除可能に介装し、この規制手段の解除後に底蓋押し出しロッドを押すことによって、底蓋を押し出して原料収容筒部内の原料をボトル内に放出するようにしたボトルキャップ。
【請求項２】
規制手段は、底蓋押し出しロッドに嵌合するリング部とこのリング部から外方へ突出する引手部とを一体に形成すると共に、リング部の外周部所要箇所にリング引き裂き用の切欠部を形成してなる請求項１に記載のボトルキャップ。
【請求項３】
キャップ本体の下端には、ボトルの口の下端部に回転可能で軸方向移動不能に嵌合される開封確認バンドを、薄肉部を介して一体に連設してなる請求項１又は２に記載のボトルキャップ。
【請求項４】
ボトルの口に螺嵌する第１キャップと、この第１キャップに螺嵌する第２キャップとの二重キャップからなり、第１キャップは、ボトルの口の雄ねじ部に螺合する雌ねじ部を有するキャップ本体の上端部に、外周面に雄ねじ部を有する原料収容筒部を一体に形成してなるもので、この原料収容筒部の下端部にはその下端開口部を封止する底蓋が嵌着され、第２キャップは、原料収容筒部の雄ねじ部に螺合する雌ねじ部を有する縦断面下向きＵ字状キャップ本体の上壁部下面から下方の底蓋に当接するように延びる底蓋押し出しロッドを一体に形成してなるもので、この第２キャップのキャップ本体下端と第１キャップのキャップ本体上端との間に、第２キャップのキャップ本体のねじ込みによる底蓋押し出しロッドの押し出しを規制する規制手段を規制解除可能に介装し、この規制手段の解除後に第２キャップを締め回すことにより、底蓋押し出しロッドで底蓋を押し出して原料収容筒部内の原料をボトル内に放出するようにしたボトルキャップ。
【請求項５】
規制手段は、第２キャップのキャップ本体下端に薄肉部を介して一体に連設され、原料収容筒部の外周面下端部に回転自在で軸方向移動不能に取り付けられるリング部と、このリング部から外方へ突出する引手部とを一体に形成すると共に、リング部の外周部所要箇所にリング引き裂き用の切欠部を形成してなる請求項４に記載のボトルキャップ。
【請求項６】
第１キャップのキャップ本体の下端には、ボトルの口の下端部に回転可能で軸方向移動不能に嵌合される開封確認バンドを、薄肉部を介して一体に連設してなる請求項４又は５に記載のボトルキャップ。
【発明の詳細な説明】
【技術分野】
【０００１】
本発明は、キャップ内に収納した抹茶等の粉末状原料をボトル内の湯又は水に放出して即席飲料を調製することができるようにしたボトルキャップに関する。
【背景技術】
【０００２】
従来のボトルキャップとして、特許公報等の公知文献を具体的に挙げることはできないが、従来においては、ボトルのキャップを中空状に形成して、このキャップの中空部内に１回分の抹茶を装入し、この中空部の、ボトル内に垂下する内端側に取出口を設けて開放可能なシールにより封緘しておいて、そのシールを、ボトルの口に螺合したキャップに、二重軸状に螺合させておいた内栓を、螺合をほどくように逆回転させることによって開放する手段が提案されている。
【発明の開示】
【発明が解決しようとする課題】
【０００３】
上記の手段では、取り扱い中に内栓が他の器物に接触することや、閉栓を確認するときの誤操作により封緘した蓋栓が外れることがあったりして、飲用を望まないときに、栓内部に装填された抹茶等がボトル内の湯又は水に投入してしまう場合を生ぜしめるといった問題があった。
【課題を解決するための手段】
【０００４】
上記課題を解決するための手段を、後述する実施形態の参照符号を付して説明すると、請求項１に係る発明のボトルキャップは、図１〜図４に示すように、ボトル１の口２の雄ねじ部２ａに螺合するキャップ本体４の上端側に、上端部が閉塞状で下端部が開口した原料収容筒部５を一体に形成し、原料収容筒部５の下端部にはその開口部を封止する底蓋７を嵌着し、原料収容筒部５の内部にはその上端壁部５ａを貫通して下方の底蓋７に当接するように延びる底蓋押し出しロッド８を挿入すると共に、このロッド８の上端径大頭部８ａと原料収容筒部５の上端壁部５ａとの間には、このロッド８の底蓋押し出しを規制する規制手段９を規制解除可能に介装し、この規制手段９の解除後に底蓋押し出しロッド８を押すことによって、底蓋７を押し出して原料収容筒部５内の原料Ｐをボトル１内に放出するようにしたことを特徴とする。
【０００５】
請求項２は、請求項１に記載のボトルキャップにおいて、規制手段９は、底蓋押し出しロッド８に嵌合するリング部９ａとこのリング部９ａから外方へ突出する引手部９ｂとを一体に形成すると共に、リング部９ｂの外周部所要箇所にリング引き裂き用の切欠部９ｃを形成してなることを特徴とする。
【０００６】
請求項３は、請求項１又は２に記載のボトルキャップにおいて、キャップ本体４の下端には、ボトル１の口２の下端部に回転可能で軸方向移動不能に嵌合される開封確認バンド１０を、薄肉部１１を介して一体に連設してなることを特徴とする。
【０００７】
請求項４に係る発明は、図５〜図７に示すように、ボトル１の口２に螺嵌する第１キャップ２１と、この第１キャップ２１に螺嵌する第２キャップ２２との二重キャップからなり、第１キャップ２１は、ボトル１の口２の雄ねじ部２ａに螺合する雌ねじ部１４ａを有するキャップ本体１４の上端部に、外周面に雄ねじ部１５ａを有する原料収容筒部１５を一体に形成してなるもので、この原料収容筒部１５の下端部にはその下端開口部を封止する底蓋１７が嵌着され、第２キャップ２２は、原料収容筒部１５の雄ねじ部１５ａに螺合する雌ねじ部１６ａを有する縦断面下向きＵ字状キャップ本体１６の上壁部下面から下方の底蓋１７に当接するように延びる底蓋押し出しロッド１８を一体に形成してなるもので、この第２キャップ２２のキャップ本体１６下端と第１キャップ２１のキャップ本体１４上端との間に、第２キャップ２２のキャップ本体１６のねじ込みによる底蓋押し出しロッド１８の押し出しを規制する規制手段１９を規制解除可能に介装し、この規制手段１９の解除後に第２キャップ２２を締め回すことにより、底蓋押し出しロッド１８で底蓋１７を押し出して原料収容筒部１５内の原料Ｐをボトル１内に放出するようにしたことを特徴とする。
【０００８】
請求項５は、請求項４に記載のボトルキャップにおいて、規制手段１９は、第２キャップ２２のキャップ本体１６下端に薄肉部２３を介して一体に連設され、原料収容筒部１５の外周面下端部に回転自在で軸方向移動不能に取り付けられるリング部１９ａと、このリング部１９ａから外方へ突出する引手部１９ｂとを一体に形成すると共に、リング部１９ａの外周部所要箇所にリング引き裂き用の切欠部１９ｃを形成してなることを特徴としている。
【０００９】
請求項６は、請求項４又は５に記載のボトルキャップにおいて、第１キャップ２１のキャップ本体１４の下端には、ボトル１の口２の下端部に回転可能で軸方向移動不能に嵌合される開封確認バンド２０を、薄肉部２４を介して一体に連設してなることを特徴としている。
【発明の効果】
【００１０】
上記解決手段による発明の効果を、後述する実施形態の参照符号を付して説明すると、請求項１に係る発明のボトルキャップ３によれば、ボトル１の口２に螺合するキャップ本体４の上端側に原料収容筒部５を一体に形成し、原料収容筒部５の下端部にはその開口部を封止する底蓋７を嵌着し、原料収容筒部５の内部にはその上端壁部５ａを貫通して下方の底蓋７に当接するように延びる底蓋押し出しロッド８を挿入すると共に、このロッド８の上端径大頭部８ａと原料収容筒部５の上端壁部５ａとの間には、このロッド８の底蓋押し出しを規制する規制手段９を規制解除可能に介装したもので、原料収容筒部５内に、緑茶、コーヒー、紅茶等の各種飲料粉末を収容しておいて、その飲用時に、規制手段９を解除して、底蓋押し出しロッド８を押せば、底蓋７が原料収容筒部５の下端部から押し出されて、原料収容筒部５内の飲料粉末Ｐをボトル１内に放出させることができる。従って、規制手段９を解除しない限り、底蓋押し出しロッド８を押すことができないので、底蓋７が外れることはなく、従って飲用を必要とする時のみ、原料収容筒部５内の飲料粉末をボトル１内の湯又は水に投入することができる。
【００１１】
請求項２に係る発明によれば、規制手段９は、底蓋押し出しロッド８に嵌合するリング部９ａとこのリング部９ａから突出する引手部９ｂとを一体に形成すると共に、リング部９ｂの外周部所要箇所にリング引き裂き用の切欠部９ｃを形成してなるもので、解除操作が簡単容易であるから、規制手段９の解除を速やかに行なうことができる。
【００１２】
請求項３に係る発明にあっては、キャップ本体４の下端に、ボトル１の口２の下端部に回転可能で軸方向移動不能に嵌合される開封確認バンド１０を、薄肉部１１を介して一体に連設しているから、キャップ本体４を取り外せば、開封確認バンド１０がキャップ本体４から切り離されて、ボトル１の口２に残っているから、ボトル１が既に開封されたことを確認でき、従っていたずらなどによってキャップ本体４が勝手に開栓されることを防止できる。
【００１３】
請求項４に係る発明のボトルキャップ１３によれば、第１キャップ２１と第２キャップ２２との二重キャップからなり、第１キャップ２１は、ボトル１の口２の雄ねじ部２ａに螺合する雌ねじ部１４ａを有するキャップ本体１４の上端部に、雄ねじ部１５ａを有する原料収容筒部１５を一体に形成し、この原料収容筒部１５の下端部に底蓋１７を嵌着し、第２キャップ２２は、原料収容筒部１５に螺嵌するＵ字状キャップ本体１６の上壁部下面から下方の底蓋１７に当接するように延びる底蓋押し出しロッド１８を一体に形成してなるもので、第２キャップ２２のキャップ本体１６下端と第１キャップ２１のキャップ本体１４上端との間に、底蓋押し出しロッド１８の押し出しを規制する規制手段１９を規制解除可能に介装しているから、原料収容筒部１５内に、緑茶、コーヒー、紅茶等の各種飲料粉末を収容しておいて、その飲用時に、規制手段１９を解除した後、第２キャップ２２を締め回すことにより、底蓋押し出しロッド１８が底蓋１７を押し出して原料収容筒部１５内の原料Ｐをボトル１内に放出することができ、従って規制手段１９を解除しない限り、底蓋押し出しロッド８を押すことができないから、底蓋７が外れることはなく、従って飲用を必要とする時のみ、原料収容筒部５内に装填した飲料粉末をボトル１内の湯又は水に投入することができる。
【００１４】
請求項５に係る発明によれば、規制手段１９は、第２キャップ２２のキャップ本体１６下端に薄肉部２３を介し一体に連設され、原料収容筒部１５の外周面下端部に回転自在で軸方向移動不能に取り付けられるリング部１９ａと、これの外方へ突出する引手部１９ｂとを一体に形成すると共に、リング部１９ａの外周部所要箇所にリング引き裂き用の切欠部１９ｃを形成してなるもので、解除操作が簡単容易であるから、規制手段１９の解除を速やかに行なうことができる。
【００１５】
請求項６に係る発明によれば、第１キャップ２１のキャップ本体１４の下端に、ボトル１の口２の下端部に回転可能で軸方向移動不能に嵌合される開封確認バンド２０を、薄肉部２４を介して一体に連設しているから、飲用時には、第１キャップ２１を取り外せば、開封確認バンド２０が第１キャップ２１のキャップ本体１４から切り離されて、ボトル１の口２に残っているから、ボトル１が既に開封されたことを確認でき、いたずらなどによってが勝手に開栓されることを防止できる。
【発明を実施するための最良の形態】
【００１６】
以下に本発明の好適な実施形態を図面に基づいて説明すると、図１は本発明に係るボトルキャップ３を備えたボトル全体の縦断面図、図２の(a) は原料収容筒部内に原料が収容されている状態を示すボトルキャップの拡大図、(b) は(a) のＸ−Ｘ線断面図であり、図３の(a) は底蓋が押し出されて原料収容筒部内の原料がボトル内に放出されている状態を示すボトルキャップの拡大図、(b) は(a) に示す規制手段９の平面図であり、そして図４はキャップを取り外した状態を示すボトルキャップの縦断面図である。
【００１７】
図１〜図４において、１はＰＥＦ（ポリエチレン・テフタレート）製のボトル（通称、ペットボトル）で、２はボトル１の口、３はボトル１の口２を閉栓するキャップである。キャップ３は、ボトル１の口２の外周面に形成された雄ねじ部２ａに螺合する合成樹脂製のキャップ本体４を有し、このキャップ本体４の内周面に雌ねじ４ａが形成されている。キャップ本体４の上端側には、上端部が閉塞状で下端部が開口した原料収容筒部５がキャップ本体４と一体に形成され、この原料収容筒部５の上端壁部５ａにはその中央部にロッド挿通口６が同心状に形成され、また原料収容筒部５の下端には、キャップ本体４がボトル１の口２に螺嵌した状態で口２内に突入嵌合する嵌合筒部５ｂが一体に形成されている。
【００１８】
７は原料収容筒部５の下端部内にその下方より嵌着される合成樹脂製の底蓋で、底板部７ａと周壁部７ｂとからなり、底板部７ａの中央部分は上げ底部７ａｏを形成している。８は合成樹脂製の底蓋押し出しロッドで、上端部に径大頭部８ａが形成されていると共に上部側所定位置に抜け止めリブ８ｂが形成されている。この底蓋押し出しロッド８は、図２から分かるように、原料収容筒部５の上端壁部５ａのロッド挿通口６から挿通されて、原料収容筒部５の下端部に嵌着された底蓋７の上げ底部７ａｏの上面に当接する状態で、上端壁部５ａの上面とロッド上端径大頭部８ａの下面との間に所定の間隔Ｓを形成するような長さを有する。
【００１９】
９は、底蓋押し出しロッド８の上端径大頭部８ａと原料収容筒部５の上端壁部５ａとの間隔Ｓ内に介装してロッド８の底蓋押し出しを規制するための規制手段である。この規制手段９は、図２の(b) に示すように、合成樹脂によって、底蓋押し出しロッド８に嵌合するリング部９ａと、このリング部９ａから外方へ突出する引手部９ｂとを一体に形成すると共に、リング部９ａの外周部所要箇所にリング引き裂き用の切欠部９ｃを形成してなるもので、解除操作が簡単容易であるから、規制手段９の解除を速やかに行なうことができる。
【００２０】
図２の(a) から分かるように、底蓋押し出しロッド８の上端径大頭部８ａと原料収容筒部５の上端壁部５ａとの間に規制手段９を介装した状態でロッド８の抜け止めリブ８ｂがロッド挿通口６の下端に位置し、これにより底蓋押し出しロッド８の抜け出しを阻止するようになっている。また図２の(a) に示すように、ロッド挿通口６内に位置するロッド部分８ｏは、ロッド８の押し出し操作を容易にするためにロッド挿通口６の内径よりも僅かに径小に形成されていると共に、ロッド挿通口６内の上端部側に位置する部分はロッド挿通口６の内周面に密着して、ロッド挿通口６に対する底蓋押し出しロッド８の密封性を確保できるようにしている。
【００２１】
また、キャップ本体４の下端には、ボトル１の口２の下端部に回転可能で軸方向移動不能に嵌合される開封確認バンド１０が、薄肉部１１を介して一体に連設されている。この開封確認バンド１０は、口２の雄ねじ部２ａの外径より僅かに大きい内径のリング状バンド本体１０ａとこのバンド本体１０ａの内周面に突出する環状突起部１０ｂとからなり、環状突起部１０ｂの内径は口２の雄ねじ部７の外径より小さく形成されたもので、環状突起部１０ｂは、口２の雄ねじ部２ａの下端部分２ａｏとその下方に突設された鍔部１２との間に嵌合される。
【００２２】
上記のように構成されるボトルキャップ３の使用にあたっては、原料収容筒部５の上端壁部５ａのロッド挿通口６から底蓋押し出しロッド８を挿入した状態で、原料収容筒部５内に原料として例えば抹茶Ｐを所定量だけ原料収容筒部５内に収容した後、原料収容筒部５の下端部に底蓋７を嵌着すると共に、底蓋押し出しロッド８の下端面を底蓋７の上げ底部７ａｏの上面に当接する状態で、上端壁部５ａの上面とロッド上端径大頭部８ａの下面との間に規制手段９を介装する。原料収容筒部５内に収容する原料としては、緑茶などの抹茶の他、コーヒー、紅茶等の各種飲料粉末が収容される。
【００２３】
こうして原料収容筒部５内に原料としての抹茶Ｐを収容したキャップ本体４をボトル１の口２に螺嵌すると共に口２の下端部に開封確認バンド１０を嵌合して、図２に示すような状態とする。尚、ボトル１内にはミネラルウォーター又は沸かした湯が予め充填されている。図２に示す状態では、規制手段９により底蓋７の押し出しが規制されているから、底蓋押し出しロッド８の頭部８ａを押しても下動せず、ロッド８は機能しない。
【００２４】
しかして、図３の(a) に示すように、規制手段９の引手部９ｂを外側方へ引っ張って、リング部９ａを切欠部９ｃのところから引き裂いて取り除くことにより、この規制手段９による規制が解除されるから、底蓋押し出しロッド８の頭部８ａを押すと、このロッド８の下端で底蓋７が、同図(a) に示すように原料収容筒部５の下端部からボトル１内に押し出され、それにより原料収容筒部５内の抹茶Ｐは、ボトル１内に放出されてボトル１内のミネラルウォーター又は沸かした湯Ｗと混合し、所謂お茶となる。
【００２５】
ボトル１内のお茶を飲用する時は、図４に示すように、原料収容筒部５付きのキャップ本体４を取り外せばよい。即ち、キャップ本体４を、図３に示す状態から締め込み方向と逆方向（開栓方向）に回すと、キャップ本体４は軸方向上方へ移動しようとするが、開封確認バンド１０は回転可能であるが、軸方向には移動不能であるため、キャップ本体４による捻じり作用によって薄肉部１１が破断し、キャップ本体４のみがボトル１の口２から外れる。
【００２６】
この場合、開封確認バンド１０がキャップ本体４から切り離されて、ボトル１の口２に残っているから、このボトル１が既に開封されたことを確認することができる。この開封確認バンド１０は、いたずら等によってキャップ本体４が勝手に開栓されることを防止するためのものである。
【００２７】
以上説明したボトルキャップ３は、ボトル１の口２の雄ねじ部２ａに螺合するキャップ本体４の上端側に、上端部が閉塞状で下端部が開口した原料収容筒部５を一体に形成し、原料収容筒部５の下端部にはその開口部を封止する底蓋７を嵌着し、原料収容筒部５の内部にはその上端壁部５ａを貫通して下方の底蓋７に当接するように延びる底蓋押し出しロッド８を挿入すると共に、このロッド８の上端径大頭部８ａと原料収容筒部５の上端壁部５ａとの間には、このロッド８の底蓋押し出しを規制する規制手段９を規制解除可能に介装してなるもので、原料収容筒部５内に、緑茶、コーヒー、紅茶等の各種飲料粉末を収容しておいて、その飲用時に、規制手段９を解除した後、底蓋押し出しロッド８を押せば、底蓋７が原料収容筒部５の下端部から押し出されて、原料収容筒部５内の飲料粉末Ｐをボトル１内に放出させることができる。しかして、規制手段９を解除しない限り、底蓋押し出しロッド８を押すことができないから、底蓋７が外れることはなく、従って飲用を必要とする時のみ、原料収容筒部５内に装填した飲料粉末をボトル１内の湯又は水に投入することができる。
【００２８】
図５の(a) は本発明に係る他のボトルキャップ１３の拡大縦断面図、(b) は(a) のＺ−Ｚ線断面図であり、図６は底蓋が押し出されて原料収容筒部内の原料がボトル内に放出されている状態を示すキャップ１３の拡大図であり、図７の(a) ，(b) は飲用可能な状態でのキャップ１３を示す夫々縦断面図である。このボトルキャップ１３は、ボトル１の口２に螺嵌する第１キャップ２１と、この第１キャップ２１に螺嵌する第２キャップ２２との二重キャップからなるものである。
【００２９】
第１キャップは、合成樹脂によって、ボトル１の口２の雄ねじ部２ａに螺合する雌ねじ部１４ａを有するキャップ本体１４の上端部に、外周面に雄ねじ部１５ａを有する原料収容筒部１５を一体に形成してなるもので、この原料収容筒部１５の下端部には、キャップ本体１４がボトル１の口２に螺嵌した状態で口２内に嵌合突入する若干下窄まり状の嵌合筒部１５ｏが一体に形成されていて、この下窄まり状嵌合筒部１５ｏの下端部に、原料収容筒部５の下端開口部を封止する合成樹脂製の底蓋１７が嵌着されている。この底蓋１７は、前述したボトルキャップ３の底蓋７と同様に、底板部１７ａと周壁部１７ｂとからなり、底板部７ａの中央部分は上げ底部１７ａｏを形成している。
【００３０】
第２キャップ２２も、合成樹脂によって一体に形成されたもので、第１キャップ２１の原料収容筒部１５の雄ねじ部１５ａに螺合する雌ねじ部１６ａを周壁内周面に形成した縦断面下向きＵ字状キャップ本体１６と、このＵ字状キャップ本体１６の上壁部１６ａの下面から原料収容筒部１５の下端部に嵌着された底蓋１７に当接するように延びる、Ｕ字状キャップ本体１６と一体に形成された底蓋押し出しロッド１８と、から構成される。この第２キャップ２２のＵ字状キャップ本体１６の下端と、第１キャップ２１のＵ字状キャップ本体１６の上端との間には、Ｕ字状キャップ本体１６のねじ込みによる底蓋押し出しロッド１８の押し出しを規制する規制手段１９が規制解除可能に介装されている。
【００３１】
この規制手段１９は、第２キャップ２２のＵ字状キャップ本体１６の下端に薄肉部２３を介して一体に連設されるリング部１９ａと、このリング部１９ａの所要部位から外方へ突出する引手部１９ｂとを合成樹脂によって一体に形成すると共に、リング部１９ａの外周部所要箇所にリング引き裂き用の切欠部１９ｃを形成したもので、リング部１９ａは、第１キャップ２１の原料収容筒部５の外周面に形成された雄ねじ部１５ａの下端部分１５ａｏと、第１キャップ２１のキャップ本体１４の上端面部との間に回転可能ではあるが、軸方向移動不能に嵌合される。
【００３２】
この規制手段１９の規制を解除するには、図５に示すように第１キャップ２１の原料収容筒部１５に螺嵌されている状態の第２キャップ２２のＵ字状キャップ本体１６を、その締め付け方向と逆方向に回すと、キャップ本体１６は軸方向上方へ移動しようとするが、規制手段１９のリング部１９ａは、回転可能ではあるが、軸方向に移動不能であるため、Ｕ字状キャップ本体１６による捻じり作用によって薄肉部２３が破断し、Ｕ字状キャップ本体１６との縁が切れる。しかして、このリング部１９ａから突出している引手部１９ｂを引っ張ることにより、切欠部１９ｃが引き裂かれて、このリング部１９ａを取外すことができ、それにより規制手段１９による規制が解除されることになる。
【００３３】
なお、第２キャップ２２の底蓋押し出しロッド１８は、図５の(a) から分かるように、第１キャップ２１の原料収容筒部１５に螺嵌された規制手段１９付きキャップ本体１６の上端壁部５ａ下面から原料収容筒部１５の下端部に嵌着された底蓋１７の上げ底部１７ａｏの上面に当接し得る長さに形成されている。
【００３４】
また、第１キャップ２１のキャップ本体１４の下端には、ボトル１の口２の下端部に回転可能で軸方向移動不能に嵌合される開封確認バンド２０が、薄肉部２４を介して一体に連設されている。この開封確認バンド２０は、口２の雄ねじ部２ａの外径より僅かに大きい内径のリング状バンド本体２０ａとこのバンド本体２０ａの内周面に突出する環状突起部２０ｂとからなり、環状突起部２０ｂの内径は口２の雄ねじ部７の外径より小さく形成されたもので、環状突起部２０ｂは、口２の雄ねじ部２ａの下端部分２ａｏとその下方に突設された鍔部１２の間に嵌合される。なお、この開封確認バンド２０の薄肉部２４は、前記規制手段１９側の薄肉部２３よりは厚く形成してあって、第２キャップ２２を開ける時に第１キャップ２１が共回りして開封確認バンド２０側の薄肉部２４が先に破断しないようにしている。
【００３５】
上記のように構成されるボトルキャップ１３を使用する時は、第１キャップ２１の原料収容筒部１５に底蓋１７を嵌着し、この原料収容筒部１５内に原料として例えば抹茶Ｐを所定量だけ原料収容筒部５内に収容した後、この原料収容筒部１５に第２キャップ２２を螺嵌する。この時、図５の(a) に示すように第２キャップ２２の底蓋押し出しロッド１８が底蓋１７の上げ底部１７ａｏの上面に当接する状態とする。
【００３６】
こうして原料としての例えば抹茶Ｐを収容した第１キャップ２１の原料収容筒部５に第２キャップ２２を螺嵌した状態で、第１キャップ２１のＵ字状キャップ本体１４をボトル１の口２に螺嵌すると共に口２の下端部に開封確認バンド２０を嵌合して、図５の(a) に示すような状態とする。しかして、この状態から、第２キャップ２２のＵ字状キャップ本体１６を緩み方向（開栓方向）に回転して、その下端に付設された規制手段１９のリング部１９ａをＵ字状キャップ本体１６から切り離した後、引手部１９ｂを引っ張って切欠部１９ｃを引き裂き、リング部１９ａを取り外すことによって、規制手段１９による規制を解除する。
【００３７】
上記のようにして規制手段１９による規制を解除した後、第２キャップ２２のＵ字状キャップ本体１６を締め付け方向に回すと、図６に示すように、Ｕ字状キャップ本体１６と一体の底蓋押し出しロッド１８によって底蓋７が第１キャップ２１の原料収容筒部１５の下端部からボトル１内へ押し出され、それにより原料収容筒部１５内の抹茶Ｐは、ボトル１内に放出されてボトル１内のミネラルウォーター又は沸かした湯Ｗと混合して、お茶となる。
【００３８】
ボトル１内のお茶を飲用する時は、図７に示すように、第１キャップ２１の原料収容筒部１５から第２キャップ２２を取り外せばよい。こうして第２キャップ２２を取り外してお茶を飲む時に、ボトル１内に落下した底蓋１７が口２から第１キャップ２１の原料収容筒部５を通過して外へ出ようとするが、原料収容筒部１５の下端部には若干下窄まり状の嵌合筒部１５ｏが設けてあるため、この嵌合筒部１５ｏに底蓋１７が引っ掛かって、排出を阻止されるから、飲用時に底蓋１７が飲用者の口に入るような心配がない。
【００３９】
また、第１キャップ２１を取り外す時は、この第１キャップ２１を図７の(a) に示す状態から締め込み方向と逆方向に回すと、この第１キャップ２１は軸方向上方へ移動しようとするが、開封確認バンド２０は回転可能であるが軸方向には移動不能であるため、キャップ本体１４の捻じり作用によって薄肉部２４が破断し、第１キャップ２１はボトル１の口２から外れる。こうして開封確認バンド２０が第１キャップ２１のキャップ本体１４から切り離されて、ボトル１の口２に残っているから、このボトル１が既に開封されたことを確認することができる。
【００４０】
以上説明したように、このボトルキャップ１３は、ボトル１の口２に螺嵌する第１キャップ２１と、第１キャップ２１に螺嵌する第２キャップ２２との二重キャップからなり、第１キャップ２１は、ボトル１の口２の雄ねじ部２ａに螺合する雌ねじ部１４ａを有するキャップ本体１４の上端部に、外周面に雄ねじ部１５ａを有する原料収容筒部１５を一体に形成し、この原料収容筒部１５の下端部に底蓋１７を嵌着させ、第２キャップ２２は、原料収容筒部１５の雄ねじ部１５ａに螺合する雌ねじ部１６ａを有する縦断面下向きＵ字状キャップ本体１６の上壁部下面から下方の底蓋１７に当接するように延びる底蓋押し出しロッド１８を一体に形成してなるもので、第２キャップ２２のキャップ本体１６下端と第１キャップ２１のキャップ本体１４上端との間に、底蓋押し出しロッド１８の押し出しを規制する規制手段１９を規制解除可能に介装したから、原料収容筒部１５内に、緑茶、コーヒー、紅茶等の各種飲料粉末を収容しておいて、その飲用時に、規制手段１９を解除した後、第２キャップ２２を締め回すことにより、底蓋押し出しロッド１８が底蓋１７を押し出して原料収容筒部１５内の原料Ｐをボトル１内に放出することができる。従って、規制手段１９を解除しない限り、底蓋押し出しロッド８を押すことができないから、底蓋７が外れることはなく、従って飲用を必要とする時のみ、原料収容筒部５内に装填した飲料粉末をボトル１内の湯又は水に投入して混合することができる。
【図面の簡単な説明】
【００４１】
【図１】本発明に係るボトルキャップを備えたボトル全体の縦断面図である。
【図２】(a) は原料収容筒部内に原料が収容されている状態を示すボトルキャップの拡大図、(b) は(a) のＸ−Ｘ線断面図である。
【図３】(a) は底蓋が押し出されて原料収容筒部内の原料がボトル内に放出される状態を示すボトルキャップの拡大図、(b) は(a) に示す規制手段の平面図である。
【図４】キャップを取り外した状態を示すボトルキャップの縦断面図である。
【図５】(a) は本発明に係る他のボトルキャップの拡大縦断面図、(b) は(a) のＺ−Ｚ線断面図である。
【図６】底蓋が押し出されて原料収容筒部内の原料がボトル内に放出されている状態を示すキャップの拡大図である。
【図７】(a) ，(b) は飲用可能な状態でのキャップを示す夫々縦断面図である。
【符号の説明】
【００４２】
１            ボトル
２            口
３            ボトルキャップ
４            キャップ本体
５            原料収容筒部
７            底蓋
８            底蓋押し出しロッド
９            規制手段
１０          開封確認バンド
１１          薄肉部
１３          ボトルキャップ
１４          キャップ本体
１５          原料収容筒部
１６          Ｕ字状キャップ本体
１７          底蓋
１８          底蓋押し出しロッド
１９          規制手段
２０          開封確認バンド
２１          第１キャップ
２２          第２キャップ
２３          薄肉部
２４          薄肉部
【図１】
2008074456.tif 000003
【図２】
2008074456.tif 000004
【図３】
2008074456.tif 000005
【図４】
2008074456.tif 000006
【図５】
2008074456.tif 000007
【図６】
2008074456.tif 000008
【図７】
2008074456.tif 000009